(57)【特許請求の範囲】
【請求項１】
２速型の前置変速アッセンブリ（ＧＶ）、３速型主変速アッセンブリ（ＧＨ）および２速型の後置変速ないしレンジ切換アッセンブリ（ＧＰ）を備えている実用車における２×３×２構造の１２速型変速機において、
手動切換装置および空気圧式切換装置を更に備え、
前置変速アッセンブリ（ＧＶ）および３速型主変速アッセンブリ（ＧＨ）により６つの前進段と少なくとも１つの後進段が得られ、
前置変速アッセンブリ（ＧＶ）は手動切換装置により手動式で作動され、３速型主変速アッセンブリ（ＧＨ）は空気圧式切換装置により空気圧式で作動され、後置変速アッセンブリ（ＧＰ）は空気圧式切換装置により空気圧式で作動され、
前置変速アッセンブリ（ＧＶ）に対して、６つの前進段と少なくとも１つの後進段に対する溝通路（Ｇ１／２、Ｇ３／４、Ｇ５／６、ＧＲ）を備えた手動切換装置が設けられ、
この手動切換装置が、連続的に増速ないし減速する速度段順序において交互に、前置変速アッセンブリ（ＧＶ）の２つの速度段ないし２つのシンクロ装置（Ａ、Ｂ）に作用し、
個々の溝通路を互いに横に接続する中立溝通路（ＧＮ）内に、作動装置（Ｓ１、Ｓ２、Ｓ３）が設けられ、
或る溝通路から他の溝通路に移行する際に、主変速アッセンブリ（ＧＨ）の空気圧式切換装置が、前記作動装置（Ｓ１、Ｓ２、Ｓ３）によって作動される、ことを特徴とする商用車における２×３×２構造の１２速型変速機。
【発明の詳細な説明】
【０００１】
本発明は、特許請求の範囲における請求項１の上位概念部分に記載の商用車（多用途車）における２×３×２構造の１２速型変速機に関する。
【０００２】
このような１２速型変速機は、前置変速アッセンブリ、３速型主変速アッセンブリ、および後置変速ないしレンジ切換アッセンブリから成っている。その個々の変速機は、空気圧式あるいは手動式に作動される切換装置を有している。この場合、通常、前置変速アッセンブリおよび後置変速アッセンブリは空気圧式に作動され、主変速アッセンブリは手動で切り換えられる。この手動切換のために、１６速型変速機で行われる切換装置が利用されている。
【０００３】
しかしその場合、切換ギャップのあるシフトパターン（切換図形）が生ずる。即ち、このシフトパターンでは、切換方向を互い違いにして、連続して一気に通すように速度段を切り換えることができない。つまり、３速段から４速段に切り換える際、シフトレバーは、３速段から出た後で、再び３速段と同じ方向に移動しなければならず、その後ではじめて、逆向き運動によって、５速段に切り換えることができる。これによって、２速段と５速段との間に前記切換ギャップが生ずる。このような切換ギャップは、運動経過が非論理的であり、切換装置の操作が困難であり、ないしは少なくとも普通ではない。
【０００４】
本発明の課題は、２×３×２構造の１２速型変速機を、切換ギャップのない通常の論理的なシフトパターンが得られるように、改良することにある。
【０００５】
この課題は、本発明に基づいて、特許請求の範囲における請求項１に記載の手段によって解決される。
【０００６】
本発明によれば、従来と異なり、３速型主変速アッセンブリが手動で、前置変速アッセンブリおよびレンジ切換ないし後置変速アッセンブリが自動で空気圧式に切り換えられるのではなく、前置変速アッセンブリだけが手動で切り換えられ、残りの２つの変速機（主変速アッセンブリおよび後置変速アッセンブリ）は、自動で空気圧式に切り換えられる。主変速アッセンブリおよび後置変速アッセンブリに対する空気圧式切換装置は、或る速度段から次の速度段に手動で切り換える際に、作動される。
【０００７】
この場合、好適には、前置変速アッセンブリに対して、６つの前進段と少なくとも１つの後進段に対する溝通路付きの手動で操作すべき切換装置が設けられ、この切換装置は、連続的に増速ないし減速する速度段順序において交互に、前置変速アッセンブリの２つの速度段に作用する。主変速アッセンブリおよび後置変速アッセンブリに対して、空気圧式切換装置が設けられ、これらの切換装置は、手動切換装置を所望の速度段の溝通路に入れた際に、それに応じて作動される。
【０００８】
これによって得られるシフトパターン（切換図形）は、補助的に１つないし２つの後進段を備えた通常の６速型変速機に相当する。前進段を切り換えるために、例えば切換装置のシフトレバーが、前置変速アッセンブリの２つの速度段を交互に作動する。速度段を選択するごとに、主変速アッセンブリのシンクロ装置が、空気圧式に作動される。重要なことは、それぞれ２つの対向して位置する速度段に対して、即ち例えば１速段と２速段、３速段と４速段、５速段と６速段に対して、それぞれ主変速アッセンブリの同じ速度段が空気圧式に作動される、ということである。個々の速度段における低速段から高速段への空気圧式切換は、後置変速アッセンブリによって行われる。
【０００９】
本発明の有利な実施態様は従属請求項に記載されている。
【００１０】
以下図に示した実施例を参照して本発明を詳細に説明する。
【００１１】
図１（Ａ）には、２×３×２構造の通常の１２速型変速機における上述した非論理的で非人間工学的なシフトパターン（切換図形）が示されている。このシフトパターンにおいて、手動切換装置は３速型主変速アッセンブリに作用し、前置変速アッセンブリおよび後置変速アッセンブリは、空気圧式に切り換えられる。２速段と５速段との間に存在する切換ギャップが、明らかに理解できる。
【００１２】
図１（Ｂ）には、１つの後進段を備えた所望のシフトパターンが示されている。このシフトパターンは、１速〜６速の速度段が手動で切り換えられ、１’速〜６’速の速度段が個々の速度段の高速段として、レンジ切換によって切り換えられる、ことから出発している。このシフトパターンは、後進段に対する溝通路ＧＲ、１速段および２速段に対する溝通路Ｇ１／２、３速段および４速段に対する溝通路Ｇ３／４、および５速段および６速段に対する溝通路Ｇ５／６を有している。これらの溝通路は中立溝通路ＧＮによって互いに横に接続されている。
【００１３】
この中立溝通路ＧＮ内に、図１（Ｃ）に示されているように、個々の溝通路間における作動装置ないし切換装置が存在している。つまり、ここでは２つの後進段Ｒ１、Ｒ２に対する溝通路と１速段および２速段に対する溝通路との間に作動装置Ｓ１が、１速段および２速段に対する溝通路と３速段および４速段に対する溝通路との間に作動装置Ｓ２が、３速段および４速段に対する溝通路と５速段および６速段に対する溝通路との間に作動装置Ｓ３が、それぞれ存在している。
【００１４】
図２には、本発明に基づく変速機の歯車構造が示されている。前置変速アッセンブリＧＶに、１速段〜６速段切換用の２つの速度段が示され、これは２つのシンクロ装置Ａ、Ｂを備えている。この前置変速アッセンブリＧＶに、３速型主変速アッセンブリＧＨが続いている。この３速型主変速アッセンブリＧＨはシンクロ装置Ｃ、Ｄと後進段Ｒ１、Ｒ２と共通するシンクロ装置Ｅ、Ｆとを備えている。この３速型主変速アッセンブリＧＨに後置変速アッセンブリＧＰが続いている。
【００１５】
図３には、先に図１（Ｃ）で示したシフトパターンにおける１速〜６速の前進段および２つの後進段Ｒ１、Ｒ２に対するシンクロ装置の作動状態が表されている。
【００１６】
後進段（ここでは第２後進段）Ｒ２から６速段までの切換過程について説明する。シフトレバーは両後進段に対する溝通路ＧＲ内に存在している。この場合、手動切換装置は、前置変速アッセンブリにおけるシンクロ装置Ｂに作用し、シンクロ装置Ｆは空気圧式に作動されている。
【００１７】
シフトレバーが中立溝通路ＧＮへ１速段の方向に移動されると、まず、シンクロ装置Ｂへの作用が解除され、続いて、作動装置Ｓ１によって、主変速アッセンブリＧＨにおけるシンクロ装置Ｅが空気圧式に作動される。そして、シフトレバーは溝通路Ｇ１／２内において手動で、１速段の位置に移動され、これによって、シンクロ装置Ａが作用する。１速段が入れられるために、シンクロ装置Ａ、Ｅが作用する。通常、これによって、１速段の低速段Ｌが入れられ、そして、図２に示されているように、後置変速アッセンブリＧＰによって空気圧式に、高速段Ｓへの自動切換が行われる。
【００１８】
２速段に移行するために、シフトレバーは溝通路Ｇ１／２内において、対向して位置する２速段の方向に移動され、これによって、前置変速アッセンブリＧＶのシンクロ装置Ａが解除され、シンクロ装置Ｂが作用する。主変速アッセンブリＧＨのシンクロ装置Ｅは作動し続ける。２速段の低速段Ｌから高速段２’への切換は、後置変速アッセンブリＧＰによって、空気圧式に制御して行われる。
【００１９】
３速段に切り換えようとするとき、シフトレバーは中立溝通路ＧＮに移動され、これによって、前置変速アッセンブリＧＶのシンクロ装置Ｂが解除される。シフトレバーを中立溝通路ＧＮ内において溝通路Ｇ３／４の方向に移動する場合、作動装置Ｓ２によって、主変速アッセンブリＧＨのシンクロ装置Ｅが解除され、シンクロ装置Ｄが作用される。３速段に入れる際、前置変速アッセンブリＧＶのシンクロ装置Ａが作用され、そしていまや、３速段の切換が完了する。その高速段Ｓへの切換は、後置変速アッセンブリＧＰによって行われる。
【００２０】
４速段に切り換える際、シフトレバーは溝通路Ｇ３／４において４速段の方向に移動され、これによって、前置変速アッセンブリＧＶにおいてシンクロ装置Ａが解除され、シンクロ装置Ｂが作用される。主変速アッセンブリＧＨのシンクロ装置Ｄは作用し続ける。４速段の高速段Ｓへの切換は、後置変速アッセンブリＧＰによって空気圧式に制御して行われる。
【００２１】
上述のこの機能は、５速段ないし６速段に切り換える際も、まずシンクロ装置Ｂが解除され、作動装置Ｓ３を介して前置変速アッセンブリＧＶのシンクロ装置Ａおよび主変速アッセンブリＧＨのシンクロ装置Ｃが作用されるように、常に繰り返される。６速段に切り換えるために、溝通路Ｇ５／６において、前置変速アッセンブリＧＶのシンクロ装置Ｂが作用され、主変速アッセンブリＧＨのシンクロ装置Ｃは作用し続ける。その低速段Ｌから高速段Ｓへの切換は、後置変速アッセンブリＧＰによって、空気圧式に制御して行われる。
【００２２】
ここで述べた変速機において、２つの後進段Ｒ１、Ｒ２が設けられている。これらの後進段Ｒ１、Ｒ２は、シンクロ装置Ａ、Ｂ間の切換によって切り換えられる。その場合、両後進段Ｒ１、Ｒ２に対するシンクロ装置Ｆは機能したままにされる。勿論、一方の後進段例えば後進段Ｒ２を拘束することができる。
【００２３】
前置変速アッセンブリの両速度段を手動で交互に切り換えることによって、変速機の１２段すべての速度段を、論理的な切換運動で、互い違いの切換方向で、一気に通すように切り換えることができる。
【図面の簡単な説明】
【図１】  （Ａ）は１２速型変速機の通常のシフトパターン、（Ｂ）および（Ｃ）は本発明に基づく１２速型変速機における所望のシフトパターンの概略図。
【図２】  本発明に基づく切換装置を備えた１２速型変速機の歯車構造の概略構成図。
【図３】  本発明に基づく変速機の個々の速度段におけるシンクロ装置の作動状態を表した図。
【符号の説明】
１、２、３、４、５、６  変速機の速度段（低速段Ｌ）
１’、２’、３’、４’、５’、６’  変速機の速度段（高速段Ｓ）
ＧＶ  前置変速アッセンブリ
ＧＨ  ３速型主変速アッセンブリ
ＧＰ  レンジ切換ないし後置変速アッセンブリ
Ａ、Ｂ  前置変速アッセンブリのシンクロ装置
Ｃ、Ｄ、Ｅ、Ｆ  主変速アッセンブリのシンクロ装置
ＧＲ  後進段用の溝通路
Ｇ１／２  １速段および２速段に対する溝通路
Ｇ３／４  ３速段および４速段に対する溝通路
Ｇ５／６  ５速段および６速段に対する溝通路
ＧＮ  中立溝通路
Ｓ１、Ｓ２、Ｓ３  作動装置
Ｌ  低速段
Ｓ  高速段
【図１】
0004545312.tif 000002
【図２】
0004545312.tif 000003
【図３】
0004545312.tif 000004